(57)【特許請求の範囲】
【請求項１】
複数のＡＴＭ装置を有するＡＴＭ網における警報転送システムであって、前記ＡＴＭ装置の各々は、警報転送発生時に転送される警報情報セルの送信間隔時間を、当該装置状態及び伝送路状態に応じて算出する送信間隔時間算出手段と、この算出時間を前記警報情報セルにより他の装置に通知する通知手段とを含むことを特徴とする警報転送システム。
【請求項２】
前記ＡＴＭ装置の各々は、警報転送発生時に転送される警報情報セルの受信監視時間を、当該装置状態及び伝送路状態に応じて算出する受信監視時間算出手段を更に含み、前記通知手段は、この算出時間を前記警報情報セルにより他の装置に通知することを特徴とする請求項１記載の警報転送システム。
【請求項３】
前記通知手段は、前記警報情報セルの所定箇所に前記送信間隔時間及び前記受信監視時間を設定して上流に位置する他のＡＴＭ装置へ送信するようにしたことを特徴とする請求項２記載の警報転送システム。
【請求項４】
前記通知手段は、下流より受信した前記警報情報セルに設定された前記送信間隔時間及び前記受信監視時間を、前記送信間隔時間算出手段及び前記受信監視時間算出手段により算出された算出時間と夫々比較して、算出時間が大なる場合に、前記警報情報セルに設定された設定時間を当該算出時間に書換える比較手段を有することを特徴とする請求項３記載の警報転送システム。
【請求項５】
前記ＡＴＭ装置のうち警報情報セル終端装置は、前記警報情報セルを下流のＡＴＭ装置へ送信する手段を、更に含むことを特徴とする請求項４記載の警報転送システム。
【請求項６】
前記ＡＴＭ装置の各々は、下流方向の前記警報情報セルに設定された前記受信監視時間により上流方向の前記警報情報セルの受信監視をなす手段を、更に含むことを特徴とする請求項５記載の警報転送システム。
【請求項７】
前記ＡＴＭ装置のうち障害検出装置は、下流方向の前記警報情報セルに設定された前記送信間隔時間により上流方向に前記警報情報セルを送信する手段を、更に含むことを特徴とする請求項６記載の警報転送システム。
【請求項８】
複数のＡＴＭ装置を有するＡＴＭ網における警報転送方法であって、前記ＡＴＭ装置の各々において、警報転送発生時に転送される警報情報セルの送信間隔時間を、当該装置状態及び伝送路状態に応じて算出するステップと、この算出時間を前記警報情報セルにより他の装置に通知する通知ステップとを含むことを特徴とする警報転送方法。
【請求項９】
前記ＡＴＭ装置の各々において、警報転送発生時に転送される警報情報セルの受信監視時間を、当該装置状態及び伝送路状態に応じて算出するステップと、この算出時間を前記警報情報セルにより他の装置に通知する通知ステップとを含むことを特徴とする請求項８記載の警報転送方法。
【請求項１０】
前記通知ステップは、前記警報情報セルの所定箇所に前記送信間隔時間及び前記受信監視時間を設定して上流に位置する他のＡＴＭ装置へ送信するステップを有することを特徴とする請求項９記載の警報転送方法。
【請求項１１】
前記通知ステップは、下流より受信した前記警報情報セルに設定された前記送信間隔時間及び前記受信監視時間を、前記送信間隔時間算出手段及び前記受信監視時間算出手段により算出された算出時間と夫々比較して、算出時間が大なる場合に、前記警報情報セルに設定された設定時間を当該算出時間に書換えるステップを有することを特徴とする請求項１０記載の警報転送方法。
【請求項１２】
前記ＡＴＭ装置のうち警報情報セル終端装置において、前記警報情報セルを下流のＡＴＭ装置へ送信するステップを、更に含むことを特徴とする請求項１１記載の警報転送方法。
【請求項１３】
前記ＡＴＭ装置の各々において、下流方向の前記警報情報セルに設定された前記受信監視時間により上流方向の前記警報情報セルの受信監視をなすステップを、更に含むことを特徴とする請求項１２記載の警報転送方法。
【請求項１４】
前記ＡＴＭ装置のうち障害検出装置において、下流方向の前記警報情報セルに設定された前記送信間隔時間により上流方向に前記警報情報セルを送信するステップを、更に含むことを特徴とする請求項１３記載の警報転送方法。
【発明の詳細な説明】
【０００１】
【発明の属する技術分野】
本発明はＡＴＭ網における警報転送システム及びその方法に関し、特に複数のＡＴＭ装置を有するＡＴＭ網において警報転送発生時に転送される警報情報セルであるＡＩＳ（Alarm Indication Signal ）セル及びＲＤＩ（Remote Defect Indication）セルの転送方式に関するものである。
【０００２】
【従来の技術】
従来のこの種の警報転送方式では、ユーザの使用するチャネル数（ＶＣＩ数：Virtual Channel Identifier数）や、伝送路トラヒックが比較的少ないということもあって、障害検出時には出回線側の警報転送チャネル（ＶＰＩ：Virtual Path Identifier やＶＣＩ）に対して、ＶＰ／ＶＣ−ＡＩＳセルを１秒の送信間隔で上流方向へ送信し、上流側ＡＴＭ装置では、ＶＰ／ＶＣ−ＡＩＳセルの受信により、障害状態を知ると共に、警報転送中継ポイント（コネクティングポイント）の場合は、ＶＰ／ＶＣ−ＡＩＳセルを上流方向に送信し、自ＡＴＭ装置が警報転送終端ポイント（エンドポイント）の場合は、ＶＰ／ＶＣ−ＲＤＩセルを下流方向に送信し、ＶＰ／ＶＣ−ＡＩＳセルを２．５秒（±５秒）間の受信監視により未受信の場合、障害が解除したことを知ることができる。
【０００３】
更に、下流側では、ＶＰ／ＶＣ−ＲＤＩセルの受信により、障害状態を知ると共に、ＶＰ／ＶＣ−ＲＤＩセルを２．５秒（±５秒）間の受信監視により未受信の場合、障害が解除したことを知ることができる。かかる技術は特許第２８９５０２５号公報に紹介されている。
【０００４】
【発明が解決しようとする課題】
しかし、上記従来方式によると、警報転送必要チャネル（ＶＰＩ，ＶＣＩ）の増加、あるいは障害状態の長期発生に伴い、伝送路おけるＶＰ／ＶＣ−ＡＩＳセルおよびＶＰ／ＶＣ−ＲＤＩセル数が増加してしまい、他ユーザ使用チャネルの通信の妨げとなり伝送路の伝送効率の低下が発生する。
【０００５】
本発明の目的は、伝送路障害やＡＴＭ装置障害などによる警報転送発生状態における、ＶＰ／ＶＣ−ＡＩＳセルの送信間隔時間およびＶＰ／ＶＣ−ＲＤＩセルの受信監視時間を、警報転送する各ＡＴＭ装置の伝送路状態およびＡＴＭ装置状態により求めた適切な値にネゴシェーションすることにより、ＶＰ／ＶＣ−ＡＩＳセルおよびＶＰ／ＶＣ−ＲＤＩセルの送信を必要最小限に抑え、ＶＰ／ＶＣ−ＡＩＳセルの受信監視時間を必要最大限にとることにより、伝送路のセル伝送効率を向上させることが可能なＡＴＭ網における警報転送システム及びその方法を提供することである。
【０００６】
【課題を解決するための手段】
本発明によれば、複数のＡＴＭ装置を有するＡＴＭ網における警報転送システムであって、前記ＡＴＭ装置の各々は、警報転送発生時に転送される警報情報セルの送信間隔時間を、当該装置状態及び伝送路状態に応じて算出する送信間隔時間算出手段と、この算出時間を前記警報情報セルにより他の装置に通知する通知手段とを含むことを特徴とする警報転送システムが得られる。
【０００７】
そして、前記ＡＴＭ装置の各々は、警報転送発生時に転送される警報情報セルの受信監視時間を、当該装置状態及び伝送路状態に応じて算出する受信監視時間算出手段を更に含み、前記通知手段は、この算出時間を前記警報情報セルにより他の装置に通知することを特徴とする。また、前記通知手段は、前記警報情報セルの所定箇所に前記送信間隔時間及び前記受信監視時間を設定して上流に位置する他のＡＴＭ装置へ送信するようにしたことを特徴とする。更に、前記通知手段は、下流より受信した前記警報情報セルに設定された前記送信間隔時間及び前記受信監視時間を、前記送信間隔時間算出手段及び前記受信監視時間算出手段により算出された算出時間と夫々比較して、算出時間が大なる場合に、前記警報情報セルに設定された設定時間を当該算出時間に書換える比較手段を有することを特徴とする。
【０００８】
また、前記ＡＴＭ装置のうち警報情報セル終端装置は、前記警報情報セルを下流のＡＴＭ装置へ送信する手段を、更に含むことを特徴とし、また前記ＡＴＭ装置の各々は、下流方向の前記警報情報セルに設定された前記受信監視時間により上流方向の前記警報情報セルの受信監視をなす手段を、更に含むことを特徴とする。また、前記ＡＴＭ装置のうち障害検出装置は、下流方向の前記警報情報セルに設定された前記送信間隔時間により上流方向に前記警報情報セルを送信する手段を、更に含むことを特徴とする。
【０００９】
本発明によれば、複数のＡＴＭ装置を有するＡＴＭ網における警報転送方法であって、前記ＡＴＭ装置の各々において、警報転送発生時に転送される警報情報セルの送信間隔時間を、当該装置状態及び伝送路状態に応じて算出するステップと、この算出時間を前記警報情報セルにより他の装置に通知する通知ステップとを含むことを特徴とする警報転送方法が得られる。
【００１０】
そして、前記ＡＴＭ装置の各々において、警報転送発生時に転送される警報情報セルの受信監視時間を、当該装置状態及び伝送路状態に応じて算出するステップと、この算出時間を前記警報情報セルにより他の装置に通知する通知ステップとを含むことを特徴とする。また、前記通知ステップは、前記警報情報セルの所定箇所に前記送信間隔時間及び前記受信監視時間を設定して上流に位置する他のＡＴＭ装置へ送信するステップを有することを特徴とする。更に、前記通知ステップは、下流より受信した前記警報情報セルに設定された前記送信間隔時間及び前記受信監視時間を、前記送信間隔時間算出手段及び前記受信監視時間算出手段により算出された算出時間と夫々比較して、算出時間が大なる場合に、前記警報情報セルに設定された設定時間を当該算出時間に書換えるステップを有することを特徴とする。
【００１１】
また、前記ＡＴＭ装置のうち警報情報セル終端装置において、前記警報情報セルを下流のＡＴＭ装置へ送信するステップを、更に含むことを特徴とし、また前記ＡＴＭ装置の各々において、下流方向の前記警報情報セルに設定された前記受信監視時間により上流方向の前記警報情報セルの受信監視をなすステップを、更に含むことを特徴とする。また、前記ＡＴＭ装置のうち障害検出装置において、下流方向の前記警報情報セルに設定された前記送信間隔時間により上流方向に前記警報情報セルを送信するステップを、更に含むことを特徴とする。
【００１２】
本発明の作用を述べる。各ＡＴＭ装置において、警報情報セルの送信間隔時間および受信監視時間を伝送路状態や装置状態に応じて、定期的に算出する機能を設け、これ等算出時間を警報情報セルに設定して他のＡＴＭ装置へ通知するようにする。そして、警報情報セルを受信した各ＡＴＭ装置は、この設定された算出時間と自装置での算出時間とを比較して、自装置での算出時間が大なる時に当該警報情報セルに設定されている時間を書換え更新する。
【００１３】
最終的にこの警報情報セルに設定される時間は、複数のＡＴＭ装置のうちの最大の時間になり、この最大時間に従って、警報情報セルの送信および受信監視をなすように制御する。こうすることで、警報転送のための警報情報セルの送出を必要最小限に抑え、また当該セルの受信監視時間を必要最大限にとることができ、伝送路のセル伝送効率を向上させることが可能となる。
【００１４】
【発明の実施の形態】
次に、本発明の実施の形態について図面を参照して詳細に説明する。図１は本発明の実施例の概略構成図である。図１において、ＡＴＭ交換装置（以下、単にＡＴＭ装置と称す）は１〜４は上り伝送路１Ａ〜３Ａおよび下り伝送路１Ｂ〜３Ｂにより夫々接続されている。
【００１５】
これ等ＡＴＭ装置１〜４における送信間隔時間算出部１１，２１，３１，４１の各々は、伝送路状態および装置状態に応じて、警報転送発生時に転送されるＶＰ／ＶＣ−ＡＩＳセル（以下単にＡＩＳセルと称す）の送信間隔時間ＳＴを算出するものである。また、受信監視時間算出部１２，２２，３２，４２の各々は、伝送路状態および装置状態に応じて、ＡＩＳセルの受信監視時間ＲＴを算出するものである。
【００１６】
時間比較決定部１３〜４３の各々は、送信間隔時間算出部１１，２１，３１，４１で算出された送信間隔時間値ＳＴおよび受信監視時間算出部１２，２２，３２，４２で算出された受信監視時間値ＲＴと、下流より転送されてきたＡＩＳセルに設定されている送信間隔時間値ＳＴおよび受信監視時間値ＲＴとを比較して、上流へ転送するＡＩＳセルに対して新たに設定っする送信間隔時間ＳＴと受信監視時間ＲＴとを決定する。制御部１４〜４４の各々は、ＡＴＭ装置の各々の動作制御をなす機能を有するものであり、ＣＰＵからなるものである。
【００１７】
尚、図１においては、ＡＴＭ装置１および４は警報転送終端ポイント（エンドポイント）、ＡＴＭ装置２および３は警報転送中継ポイント（コネクティングポイント）として警報転送を行う機能を有するものである。
【００１８】
ここで、図２を参照すると、ＡＩＳセルおよびＲＤＩセルのフォーマットを示しており、図示する如く、当該セル内の所定箇所に、ＡＩＳセル送信間隔時間エリアＡＩＳ−ＳＮＤＴと、ＡＩＳセル受信監視時間エリアＡＩＳ−ＲＣＶＴとが設けられているものとする。尚、他のエリアの機能については、図２に示している。
【００１９】
図３は図１のＡＴＭ通信網における本発明の実施例の動作を示すシーケンス図であり、図１のＡＴＭ装置１と２との間の伝送路１Ａ，１Ｂが障害となった場合の動作例である。図３および動作フローを示す図４〜図８を参照しつつ本実施例の動作を説明する。
【００２０】
この場合、障害箇所に隣接するＡＴＭ装置２において、伝送路１Ａ，１Ｂの障害が検出され（図４のステップＳ２１）、警報転送必要チャネルのＡＩＳセル送信時、ＡＩＳセル送信間隔時間エリアＡＩＳ−ＳＮＤＴに、送信間隔時間算出部２１で算出された自ＡＴＭ装置２の希望するＡＩＳセル送信間隔時間値ＳＴ（＝１）が設定され（図４のステップＳ２２）、またＡＩＳセル受信監視時間エリアＡＩＳ−ＲＣＶＴに、受信監視時間算出部２２で算出された受信監視時間値ＲＴ（＝３）が設定される（図４のステップＳ２３）。そして、ＡＩＳセル（ＡＩＳ１１）として上り伝送路２Ａ送信される（図４のステップＳ２４）。
【００２１】
ここで、送信時間間隔算出部２１および受信監視時間算出部２２の動作手順を図５、図６にそれぞれ示している。先ず、図５を参照すると、送信時間間隔算出部２１は、伝送路の状態、すなわち、伝送路における転送セル量やその輻輳状態を取得し（図５のステップＳ１）、また装置２の状態、すなわち、制御部であるＣＰＵ２４の稼働率を取得して（図５のステップＳ２）、これら状態値に応じて、予め定められているＡＩＳセル送信間隔時間ＳＴを算出決定するのである（図５のステップＳ３）。上記ステップＳ１〜Ｓ３の処理が一定周期で繰り返し行われ（図５のステップＳ４）、常に最新の伝送路状態および装置状態に応じたＡＩＳセル送信間隔時間ＳＴが算出決定される様になっている。
【００２２】
伝送路状態が、混んでいる（輻輳状態を含む）ときには、送信間隔時間ＳＴを大にする必要があり、また装置２のＣＰＵ稼働率が大の場合にも、同様に送信間隔時間ＳＴを大にする必要があるので、これ等伝送路状態や装置状態を取込んで送信間隔時間ＳＴを算出決定するものであり、この算出式はシステムにより予め定めておくことができる。受信監視時間ＲＴについても、同様であり、図６にその受信監視時間算出動作のフローを示す。
【００２３】
図６を参照すると、受信監視時間算出部２２は、伝送路の状態、すなわち、伝送路における転送セル量やその輻輳状態を取得し（図６のステップＳ１１）、また装置２の状態、すなわち、制御部であるＣＰＵ２４の稼働率を取得して（図６のステップＳ１２）、これら状態値に応じて、予め定められているＡＩＳセル受信監視時間ＲＴを算出決定するのである（図６のステップＳ１３）。上記ステップＳ１〜Ｓ３の処理が一定周期で繰り返し行われ（図６のステップＳ１４）、常に最新の伝送路状態および装置状態に応じたＡＩＳセル受信監視時間ＲＴが算出決定される様になっている。
【００２４】
尚、他のＡＴＭ装置における送信時間間隔算出部および受信監視時間算出部の動作も図５，６に示した手順に従うものとする。
【００２５】
こうして算出されたＳＴおよびＲＴが、ＡＩＳセル（ＡＩＳ１１）の所定箇所に設定されて上流のＡＴＭ装置３へ送信されることになる。尚、図３に示すように、ＡＴＭ装置２では、ＳＴ＝１，ＲＴ＝３とし、ＡＴＭ装置３では、ＳＴ＝３，ＲＴ＝９とし、ＡＴＭ装置２では、ＳＴ＝２，ＲＴ＝６としている。
【００２６】
中継ポイントのＡＴＭ装置３の時間比較決定部３３は、図７に示す動作フローに従った処理を行う。すなわち、下流のＡＴＭ装置２からＡＩＳセル（ＡＩＳ１１）を受信すると（ステップＳ３１）、このセルに設定されているＳＴおよびＲＴと、自身の送信間隔時間算出部３１で算出された算出時間および受信監視時間算出部３２で算出された算出時間とをそれぞれ比較する（ステップＳ３２，Ｓ３３）。
【００２７】
自身の算出時間が大の場合に（ステップＳ３４，Ｓ３６）、受信したＡＩＳセルのＳＴ，ＲＴを自身の算出時間にぞれぞれ書換えて更新し（ステップＳ３５，Ｓ３７）、そうでない場合には、そのまま（ステップＳ３８）ＡＩＳセル（ＡＩＳ１２）として上り伝送路３Ａへ送信する（ステップＳ３９）。本例では、ＳＴ，ＲＴ共にＡＴＭ装置３のＳＴ＝３，ＲＴ＝９に更新される。
【００２８】
終端ポイントのＡＴＭ装置４の時間比較決定部４３は、図８に示す動作フローに従った処理を行う。すなわち、下流のＡＴＭ装置３からＡＩＳセル（ＡＩＳ１２）を受信すると（ステップＳ４１）、このセルＩ設定されているＳＴおよびＲＴと、自身の送信間隔時間算出部４１で算出された算出時間および受信監視時間算出部４２で算出された算出時間とをそれぞれ比較する（ステップＳ４２，Ｓ４３）。
【００２９】
自身の算出時間が大の場合に（ステップＳ４４，Ｓ４６）、受信したＡＩＳセルのＳＴ，ＲＴを自身の算出時間にぞれぞれ書換えて更新し（ステップＳ４５，Ｓ４７）、そうでない場合には、書換えることなく（ステップＳ４８）、ＡＩＳセルをＲＤＩセル（ＲＤＩ１２）として下り伝送路３Ｂへ送信する（ステップＳ４９）。本例では、ＳＴ＝３，ＲＴ＝９のままである。そして、このＡＴＭ装置４では、以降このＲＴ＝９でＡＩＳセル（ＡＩＳセル２２）の受信監視を行うことになる。
【００３０】
ＲＤＩセル（ＲＤＩ１２）を受信したＡＴＭ装置３では、受信したＲＤＩセル（ＲＤＩ１２）をＲＤＩセル（ＲＤＩ１１）として伝送路２Ｂに送出すると共に、以降ＲＴ＝９でＡＩＳセル（ＡＩＳセル２１）の受信監視を行うことになる。ＲＤＩセル（ＲＤＩ１１）を受信した障害検出ポイントのＡＴＭ装置２では、このセルに設定されているＳＴ＝３で、以降のＡＩＳセル（ＡＩＳ３１）の送信を行うことになる。
【００３１】
尚、図３のシーケンス図では、障害検出ポイントのＡＴＭ装置２が次のＡＩＳセル（ＡＩＳ２１）を送信する場合に、ＳＴ＝１の時間間隔で送信しているが、下り方向のＲＤＩセル（ＲＤＩ１１）に設定されているＲＴ（＝３）の値を取込んで、この取込んだ値（ＲＴ＝３）で送信を開始するには、時間的にＡＩＳセル（ＡＩＳ２１）の次のＡＩＳセル（ＡＩＳ３１）からになるが、間に合えば、ＡＩＳセル（ＡＩＳ２１）から送信間隔をこの取込んだ値（ＲＴ＝３）となることは勿論である。
【００３２】
以上の実施例では、警報転送されるＡＴＭ装置が３個で、警報転送必要チャネルが１つの場合であるが、これ等数には特に制限はないものである。
【００３３】
【発明の効果】
本発明によれば、警報転送発生状態における、ＡＩＳセルおよびＲＤＩセルの送信を必要最小限に抑え、ＡＩＳセルの受信監視時間を必要最大限にとることにより、伝送路のセル伝送効率を向上させることが出来るという効果がある。その理由は、ＡＩＳセルの送信間隔時間およびその受信監視時間を、警報転送する各ＡＴＭ装置の伝送路状態および装置状態により求めた適切な値にネゴシェーションするからである。
【図面の簡単な説明】
【図１】本発明の実施例の構成を示す概略図である。
【図２】本発明の実施例に使用されるＡＩＳセルおよびＲＤＩセルのフォーマット例を示す図である。
【図３】本発明の実施例の動作例を示すシーケンス図である。
【図４】障害検出ポイントのＡＴＭ装置の動作フロー図である。
【図５】送信間隔時間算出部の動作フロー図である。
【図６】受信監視時間算出部の動作フロー図である。
【図７】中継ポイントのＡＴＭ装置の時間比較決定部の動作フロー図である。
【図８】終端のポイントのＡＴＭ装置の時間比較決定部の動作フロー図である。
【符号の説明】
１〜４  ＡＴＭ装置
１１，２１，３１，４１  送信間隔時間算出部
１２，２２，３２，４２  受信監視時間算出部
１３，２３，３３，４３  時間比較決定部
１４，２４，３４，４４  制御部
１Ａ〜３Ａ，２Ｂ〜３Ｂ  伝送路
【図１】
0004355426.tif 000002
【図２】
0004355426.tif 000003
【図３】
0004355426.tif 000004
【図４】
0004355426.tif 000005
【図５】
0004355426.tif 000006
【図６】
0004355426.tif 000007
【図７】
0004355426.tif 000008
【図８】
0004355426.tif 000009